(57)【要約】【課題】自動販売機の商品取出口あるいは該商品取出口へ商品を導く商品通路において商品を確実に検知でき、多様な商品情報の検知に対応して容易かつ確実に異常検知を行えるようにする。【解決手段】商品に非接触式ＩＣタグを設け、自動販売機の商品通路の商品取出口近傍等に非接触式ＩＣタグから商品情報を読み取るＩＣリーダー９を設け、投出ユニット７と、商品選択釦３と、ＩＣリーダー９と、ブザー５と、タイマ２２と、モデム２３を制御部２１に接続し、商品コラムから投出された商品がＩＣリーダー９の近傍を通過した時に、商品の非接触式ＩＣタグの情報をＩＣリーダー９が読み取ることにより、抜き取り等による盗難発生や、商品詰まり等による投出不良や、装填不良や、投出不良等による販売個数の異常を検知して、ブザー５により報知し、モデム２３により通報するよう構成する。【選択図】        図３
2004310602.tif 000002
【特許請求の範囲】
【請求項１】
購入する商品を選択する商品選択手段と、複数の商品を収納する商品収納手段と、前記商品選択手段により選択された商品を前記商品収納手段から投出する商品投出手段と、前記商品収納手段から前記商品投出手段により投出された商品が払い出される商品取出口と、前記商品収納手段から投出された商品を前記商品取出口へ導く商品通路とを備えるとともに、制御部を備え、該制御部が前記商品投出手段に投出動作を行うよう指示する自動販売機において、
商品に設けられた非接触式ＩＣタグから商品情報を読み取る電磁波式の読取手段を前記商品通路あるいは前記商品取出口に設けたことを特徴とする自動販売機。
【請求項２】
前記制御部が、前記読取手段が前記非接触式ＩＣタグから商品情報を読み取った時に、その商品情報を読み取った時点よりも所定時間前の時点以降に前記商品投出手段が動作していなければ異常と判断する異常検知手段を備えることを特徴とする請求項１に記載の自動販売機。
【請求項３】
前記制御部が、前記商品投出手段に投出動作を行うよう指示したことを条件として時間の計測を開始する計測手段を備えるとともに、該計測手段によって計測された時間が所定時間を越えるまでに前記読取手段により情報が読み取られなければ異常と判断する異常検知手段を備えることを特徴とする請求項１に記載の自動販売機。
【請求項４】
前記読取手段が前記非接触式ＩＣタグから読み取る商品情報に商品の銘柄情報が含まれることを特徴とする請求項１に記載の自動販売機。
【請求項５】
前記商品選択手段による商品の選択は販売個数の選択を含み、
前記制御部が、前記商品収納手段に投出動作を指示したことを条件として時間の計測を開始する計測手段を備えるとともに、前記商品選択手段により選択された１回の販売個数と前記計測手段によって計測された時間が所定時間を経過するまでに前記読取手段が商品情報を読み取った回数とが異なっていれば異常と判断する異常検知手段を備えることを特徴とする請求項１に記載の自動販売機。
【発明の詳細な説明】
【０００１】
【発明の属する技術分野】
本発明は、自動販売機に関し、特に、商品の投出に関する。
【０００２】
【従来の技術】
従来、自動販売機の商品や売上金の盗難は、扉部分の破壊による強奪が多かったが、近年、自動販売機の強度が高まったことにより、そうした扉部分を破壊して金品を強奪する手口よりも、商品取出口から直接手を入れたり、自動販売機本体を揺さぶって商品コラムから商品を落下させて抜き取るといった手口が増えている。そして、従来はこうした手口による盗難を防ぐために、振動センサによって自動販売機が破壊される際の振動を検知するとともに自動販売機本体の揺さぶりを検知して警報を出すようにしている。
【０００３】
しかし、この方法では、振動センサは調整が難しくて、感度を上げると、販売時の商品の落下による衝撃や、扉開閉時の振動や、自動販売機の近くを人や車が通ったことによる振動によってもセンサが反応してしまうことがあり、そうした誤反応を防ぐために感度を下げると、いざ盗難が発生したときにセンサがうまく働かない恐れがあった。また、自動販売機には、盗難以外に、商品投出時に発生する詰まりや過投出のような投出不良の検知や、商品コラムに本来設定されている銘柄とは違った銘柄の商品が装填されてしまう装填不良等を検知する手段が必要で、盗難検知のための振動センサではそうした投出不良や装填不良等を検知する事はできず、これらを検知するには別途センサを設ける必要があって、部品点数が増え、コスト高になっていた。こうした問題は未だ解決されていない。
【０００４】
盗難防止ではないが、設定された銘柄以外の銘柄の商品が自動販売機に装填されて販売されるのを防止するために、商品に蛍光剤を塗装し、自動販売機の商品受入部に紫外線発光光源と受光器を設けて、払い出された商品の蛍光剤に紫外線を当てて蛍光剤の発光を受光器で受光することで商品の銘柄等を判別するようにすることは別途従来から知られている（例えば、特許文献１参照。）  。
【０００５】
【特許文献１】
特開平１０−２６９４１９号公報
【０００６】
【発明が解決しようとする課題】
商品に蛍光剤を塗装し、自動販売機の商品受入部に紫外線発光光源と受光器を設けて、払い出された商品の蛍光剤に紫外線を当てて蛍光剤の発光を受光器で受光することで商品の銘柄等を判別する上記従来の技術は、装填防止だけでなく、抜き取り検知や投出不良検知にも対応可能である。しかしながら、上記従来の技術では、抜き取り検知、投出不良検知、装填不良検知のいずれに対応するにしても、まずは自動販売機の商品受入部において商品情報を蛍光剤から確実に検知できなくてはならず、そのためには紫外線発光光源や受光器の設置場所を払い出された商品の蛍光剤塗装部位に臨む位置に設ける必要があり、あるいは紫外線発光光源や受光器の設置場所に合わせて商品の蛍光剤塗装部位を設定する必要があって、それが自動販売機や商品の設計上の制約になってしまう。
【０００７】
また、紫外線発光光源や受光器の設置場所が適正であっても、投出された商品の姿勢や商品の形状によっては、商品に塗装された蛍光剤が紫外線発光光源の方向を向かないことがあったり、蛍光剤の発光を受光器がうまく受光できないこともある。
【０００８】
そして、上記従来の技術のように商品に塗装した蛍光剤から商品情報を検知するのでは、商品の各銘柄や値段等の多様な商品情報の検知を必要とする場合に対応が困難である。
【０００９】
本発明は、上記従来の問題点に鑑みてなされてものであり、自動販売機の商品取出口あるいは該商品取出口へ商品を導く商品通路において商品を確実に検知でき、多様な商品情報の検知にも対応できるようにすることを目的とする。
【００１０】
【課題を解決するための手段】
本発明は、商品に非接触式ＩＣタグを設けることとし、その非接触ＩＣタグから商品情報を電波式の読取手段（ＩＣリーダー）により読み取るよう自動販売機を構成することで上記課題を解決するものである。
【００１１】
すなわち、請求項１に係る発明の自動販売機は、購入する商品を選択する商品選択手段と、複数の商品を収納する商品収納手段と、前記商品選択手段により選択された商品を前記商品収納手段から投出する商品投出手段と、前記商品収納手段から前記商品投出手段により投出された商品が払い出される商品取出口と、前記商品収納手段から投出された商品を前記商品取出口へ導く商品通路とを備えるとともに、制御部を備え、該制御部が前記商品投出手段に投出動作を行うよう指示する自動販売機において、商品に設けられた非接触式ＩＣタグから商品情報を読み取る電磁波式の読取手段を前記商品通路あるいは前記商品取出口に設けたことを特徴とする。
【００１２】
この自動販売機に非接触式ＩＣタグを設けた商品を商品収納手段に収納することにより、商品取出口あるいは該商品取出口へ商品を導く商品通路において電磁波式の読取手段が非接触式ＩＣタグから商品情報を読み取って、商品を確実に検知することができる。
【００１３】
この場合、電波式の読取手段は商品が商品取出口あるいは商品通路にありさえすれば非接触式ＩＣタグの位置に関係なく商品情報を確実に読み取ることができ、読取手段は商品取出口あるいは該商品取出口へ商品を導く商品通路の任意の位置に設けることができ、商品に設ける非接触式ＩＣタグの位置も任意でよくて、自動販売機および商品の設計上の制約とならない。また、非接触式ＩＣタグを使用するため、商品の各銘柄や値段等の多様な商品情報の検知が可能で、抜き取り検知、投出不良検知、装填不良検知等への対応が自在である。
【００１４】
そして、請求項２に係る発明の自動販売機は、請求項１に係る発明の上記構成を備えるとともに、前記制御部が、前記読取手段が前記非接触式ＩＣタグから商品情報を読み取った時に、その商品情報を読み取った時点よりも所定時間前の時点以降に前記商品投出手段が動作していなければ異常と判断する異常検知手段を備えることを特徴とする。
【００１５】
この場合、読取手段が非接触式ＩＣタグから商品情報を読み取った時に、その商品情報を読み取った時点よりも所定時間前の時点以降に商品投出手段が動作していなければ異常と判断することで、商品取出口からの抜き取りを確実に検知し、盗難を防止することができる。
【００１６】
また、請求項３に係る発明の自動販売機は、請求項１に係る発明の上記構成を備え、また、前記制御部が、前記商品投出手段に投出動作を行うよう指示したことを条件として時間の計測を開始する計測手段を備えるとともに、該計測手段によって計測された時間が所定時間を越えるまでに前記読取手段により情報が読み取られなければ異常と判断する異常検知手段を備えることを特徴とする。
【００１７】
この場合、商品投出手段に投出動作を行うよう指示してからの時間が所定時間を越えるまでに読取手段により情報が読み取られなければ異常と判断することで、商品詰まり等による投出不良を確実に検知することができる。
【００１８】
また、請求項４に係る発明の自動販売機は、請求項１に係る発明の上記構成を備えるとともに、前記読取手段が前記非接触式ＩＣタグから読み取る商品情報に商品の銘柄情報が含まれることを特徴とする。
【００１９】
この場合、読取手段が非接触式ＩＣタグから商品の銘柄情報を読み取り、本来設定されている商品の銘柄とは異なる銘柄が読み取られた時に異常と判断することで、装填不良を確実に検知することができる。
【００２０】
また、請求項５に係る発明の自動販売機は、請求項１に係る発明の上記構成を備えるとともに、前記商品選択手段による商品の選択は販売個数の選択を含み、
前記制御部が、前記商品収納手段に投出動作を指示したことを条件として時間の計測を開始する計測手段を備えるとともに、前記商品選択手段により選択された１回の販売個数と前記計測手段によって計測された時間が所定時間を経過するまでに前記読取手段が商品情報を読み取った回数とが異なっていれば異常と判断する異常検知手段を備えることを特徴とする。
【００２１】
この場合、商品選択手段により選択された１回の販売個数と、商品投出手段に投出動作を行うよう指示してからの時間が所定時間を越えるまでに読取手段が商品情報を読み取った回数とが異なっていれば異常と判断することで、投出不良等による販売個数の異常を確実に検知することができる。
【００２２】
【発明の実施の形態】
以下、本発明の実施の形態を図面に基づいて説明する。
【００２３】
図１〜３は実施の形態の一例を示している。図１は自動販売機の概略構成を示す断面図、図２は販売する商品の構成図、図３は制御系の構成を示すブロック図である。
【００２４】
この実施の形態の自動販売機は、図１に示すように、自動販売機本体１の前面に扉体２を備え、該扉体２の前面に、購入する商品を選択する商品選択手段である商品選択釦３と、商品が払い出される商品取出口４とが設けられ、扉体２の内側には、盗難（  抜き取り）、投出不良、装填不良等の異常が発生した時に警報を鳴らして報知する報知手段であるブザー５が設けられている。
【００２５】
自動販売機本体１の内部には、複数の商品を上下方向に積載収納する商品収納手段である商品コラム６が複数列設けられ、商品コラム６の下部には、商品選択釦３によって選択された商品を商品コラム６から前方へ投出する商品投出手段である投出ユニット７が設けられ、商品コラム６の下部前面と商品取出口４との間に、商品コラム６から投出された商品を導くための商品通路８が設けられている。そして、商品通路８の商品取出口４近傍には、非接触式ＩＣタグから情報を読み取るための電波式の読取手段であるＩＣリーダー９が設けられている。ＩＣリーダ９はこのように商品通路８に設ける以外に商品取出口４に設けてもよく、商品取出口４あるいは商品通路８の任意の位置に設けてもよい。
【００２６】
この自動販売機の商品コラム６には、図２に示すように各々に銘柄や値段等の商品情報が書き込まれた非接触式の記録媒体である非接触式ＩＣタグ１０を設けた商品１１を収納する。非接触式ＩＣタグ１０は、商品１１の中に入れてもよく、シールとして商品に貼り付けてもよく、包装紙の内側に入れてもよく、商品の任意の位置に任意の態様で設けることができる。
【００２７】
また、この自動販売機の制御系には、図３に示すように、異常検知手段を構成する制御部２１が設けられ、制御部２１が投出ユニット７に投出動作を指示してからの時間を計測する計測手段であるタイマ２２が設けられ、自動販売機に問題が発生した場合にサービスセンターや警備会社等へ通報する通信手段であるモデム２３が設けられている。そして、投出ユニット７と、商品選択釦３と、ＩＣリーダー９と、ブザー５と、タイマ２２と、モデム２３とがそれぞれ制御部２１に接続され、商品コラム６から投出された商品がＩＣリーダー９の近傍を通過した時に、商品１１に設けられている非接触式ＩＣタグ１０の情報をＩＣリーダー９が読み取り、異常が発生したときにブザー５が報知するとともに、モデム２３がサービスセンターや警備会社等へ通報するようになっている。
【００２８】
また、商品選択釦３の各々には予め販売される商品の銘柄と販売個数が対応付けられており、商品選択釦３を選択するだけで、選択された商品選択釦３に対応している商品の銘柄と販売個数を選択することができる。
【００２９】
なお、この実施の形態における上記商品の銘柄と販売個数の選択方法には、販売個数が１個の場合も含まれる。また、上記の選択方法の他に、商品選択釦を商品銘柄選択ボタンとテンキー等の販売個数選択釦とに分けて、商品銘柄選択釦に商品の銘柄、販売個数選択釦に販売個数をそれぞれ対応付けることで、商品選択釦で商品銘柄を選択し、販売個数選択釦で販売個数を選択するようにしてもよい。
【００３０】
上記商品情報の読み取りは、非接触式ＩＣタグ１０がＩＣリーダー９からの電波によって電力供給を受け、それにより非接触式ＩＣタグ１０内に書き込まれている商品情報をＩＣリーダー９に送信し、その送信を受けてＩＣリーダー９が商品情報を読み取る仕組みとなっており、バーコードのように光学的に情報を読み取るものとは違い、対象となる商品の投出姿勢がどのような状態でも確実に読み取ることができる。
【００３１】
なお、商品情報の読み取りは上記方式の他に、非接触式ＩＣタグ１０内に電池を設けておき、非接触式ＩＣタグ１０自体の電力でＩＣリーダー９に商品情報を送信し、その送信を受けてＩＣリーダー９が商品情報を読み取る方式であってもよい。
【００３２】
また、この実施の形態の例では報知手段としてブザー５を使用しているが、液晶やランプ等を使用して報知するようにしてもよい。また、複数の異なる報知手段を設け、盗難、投出不良、装填不良といった異常の種類によって報知手段を使い分けることで、自動販売機に異常が発生したことを異常の種類を含めて確実に報知できるようにしてもよい。
【００３３】
この自動販売機は、通常の販売動作においては、まず、顧客が商品選択釦３で購入したい商品の銘柄と個数を選択する。すると、制御部２１は、選択された商品に対応する商品コラム６の投出ユニット７に投出動作を指示するとともに、タイマ２２に時間計測を指示し、また、投出ユニット７に投出動作を指示したことを記憶する。
【００３４】
そして、投出ユニット７によって商品コラム６から投出された商品が、商品通路８を通って商品取出口４へ払い出される時に、投出された商品１１が商品通路８内に設置されているＩＣリーダー９の近傍を通過することによって、商品１１に設けられている非接触式ＩＣタグ１０からＩＣリーダー９が商品情報を読み取る。
【００３５】
そして、ＩＣリーダー９が、非接触式ＩＣタグ１０から商品情報を読み取ると、制御部２１は、投出ユニット７に投出動作を指示したかどうかを確認するとともに、ＩＣリーダー１１が読み取った商品情報をチェックして、商品１１の非接触式ＩＣタグ１０に記録されている銘柄と商品選択釦３によって選択された商品の銘柄（その商品選択釦３に対応する商品コラム６に本来設定されている商品の銘柄）が同じものであるかどうかを確認し、ＩＣリーダー９が商品情報を読み取った商品の個数（販売個数）が選択された個数と同じであるかどうかを確認し、また、タイマ２２によって計測されている時間が予め設定されている所定時間以内であるかどうかを確認する。
【００３６】
そして、投出ユニット７が投出動作を行ったことと、ＩＣリーダー９で商品情報を読み取った商品の銘柄と選択された商品の銘柄が同じものであることと、販売個数と選択された個数が同じであることと、タイマ２２で計測された時間が予め設定されている所定時間以内であることが確認できれば、制御部２１は、通常の販売動作が行われたと判断し、販売動作を終了する。
【００３７】
時間の計測方法は、この実施の形態の例のように制御部２１が投出ユニット７に投出動作を指示するとともにタイマ２２に時間の計測を開始させる方法の他に、投出ユニット７に商品が投出されたことを検知するセンサを設け、制御部２１が投出ユニット７に投出動作を指示して投出ユニット７から商品が投出された時にタイマに時間の計測を開始させるようにしてもよい。
【００３８】
また、投出ユニット７が投出動作を行ったこと、ＩＣリーダー９で商品情報を読み取った商品の銘柄と選択された商品の銘柄が同じものであること、販売個数と選択された個数が同じであること、タイマ２２で計測された時間が予め設定されている所定時間以内であることのいずれかが確認できない時は、制御部２１は、通常の販売動作にない異常が発生したと判断し、ブザー５を鳴らして報知すると共に、モデム２３を使用してサービスセンター等に通報する。以下、異常の種類毎に詳細を説明する。
【００３９】
（抜き取り等による盗難）
この自動販売機において、商品を盗もうとする者が、商品取出口４から手を入れて商品コラム６から商品１１を抜き取ったり、自動販売機本体１を揺さぶって商品コラム６から商品１１を落下させて抜き取ろうとすると、その抜き取ろうとする商品１１は、商品通路８に設けられているＩＣリーダー９近傍を通過することになり、ＩＣリーダー９が、その抜き取ろうとする商品１１に設けられている非接触ＩＣタグ１０から商品情報を読み取る。
【００４０】
そして、ＩＣリーダー９が非接触式ＩＣタグ１０から商品情報が読み取ると、制御部２１は、投出ユニット７に投出動作を指示したかどうかを確認するとともに、ＩＣリーダー９が読み取った商品１１の銘柄情報と商品選択釦３によって選択された商品の銘柄が同じものであるかどうかを確認し、また、タイマ２２によって計測されている時間が、予め設定されている所定時間以内であるかどうかを確認するが、この場合、投出ユニット７は制御部２１の指示によって投出動作を行っておらず、制御部２１には投出ユニット７に投出動作を指示したことが記憶されていないため、制御部２１は抜き取り等の不正な取り出しによる盗難が発生したと判断し、ブザー５を鳴らして盗難が発生したことを報知するとともに、モデム２３を使用してサービスセンターや警備会社等に通報する。
【００４１】
（商品詰まり等による投出不良）
また、この自動販売機において、顧客が商品選択釦３で購入したい商品を選択し、制御部２１が、選択された商品に対応する商品コラム６の投出ユニット７に投出動作を指示するとともに、タイマ２２に時間計測を指示し、投出ユニット７に投出動作を指示したことを記憶し、制御部２１の指示によって投出ユニット７が投出動作を行った時に、商品１１が商品コラム６や商品通路８内に引っかかるなど商品詰まりが発生すると、投出ユニット７に投出動作を指示したにもかかわらず商品１１がＩＣリーダー９近傍を通過しないため、ＩＣリーダー９は非接触式ＩＣタグ１０から商品情報を読み取ることがない。
【００４２】
この場合、タイマ２２が計測している時間が予め設定されている所定時間を経過すると、制御部２１は、商品が正しく投出されていないと判断し、ブザー５を鳴らして投出不良が発生したことを報知するとともに、モデム２３を使用してサービスセンター等に通報する。
【００４３】
（装填不良）
また、この自動販売機において、商品コラム６に本来設定されている商品とは別の銘柄の商品が装填されていた場合には、顧客が商品選択釦３で購入したい商品を選択すると、制御部２１が、選択された商品に対応する商品コラム６の投出ユニット７に投出動作を指示するとともに、タイマ２２に時間計測を指示し、投出ユニット７に投出動作を指示したことを記憶し、制御部２１の指示によって投出ユニット７が投出動作を行い、投出ユニット７によって商品コラム６から投出された商品が、商品通路８を通って商品取出口４へ払い出され、投出された商品が商品通路８内に設けられているＩＣリーダー９近傍を通過することによって、ＩＣリーダー９が、その投出された商品１１に設けられている非接触ＩＣタグ１０から商品情報を読み取り、制御部２１が、投出ユニット７に投出動作を指示したかどうかを確認するとともに、ＩＣリーダー９が読み取った商品１１の銘柄情報と商品選択釦３によって選択された商品の銘柄が同じものであるかどうかを確認し、また、タイマ２２によって計測されている時間が、予め設定されている所定時間以内であるかどうかを確認するが、この場合は、ＩＣリーダー９によって読み取られた商品情報の銘柄と商品選択釦３によって選択された商品の銘柄が一致しないため、制御部２１は、設定されている商品とは別の商品が商品コラム６に装填されていると判断し、ブザー５を鳴らして報知するとともに、モデム２３を使用してサービスセンター等に通報する。
【００４４】
（投出不良等による販売個数の異常）
また、この自動販売機において、顧客が商品選択釦３で購入したい商品の銘柄と販売個数を選択し、制御部２１が、選択された商品に対応する商品コラム６の投出ユニット７に投出動作を指示するとともに、タイマ２２に時間計測を指示し、投出ユニット７に投出動作を指示したことと、選択された販売個数を記憶し、制御部２１の指示によって投出ユニット７が投出動作を行い、投出ユニット７によって商品コラム６から投出された商品が、商品通路８を通って商品取出口４へ払い出され、投出された商品が商品通路８内に設けられているＩＣリーダー９近傍を通過することによって、ＩＣリーダー９が、その投出された各々の商品１１に設けられている非接触ＩＣタグ１０から商品情報を読み取り、制御部２１が、投出ユニット７に投出動作を指示したかどうかを確認するとともに、ＩＣリーダー９が読み取った各商品１１の商品情報から銘柄と販売個数を確認し、また、タイマ２２によって計測されている時間が、予め設定されている所定時間以内であるかどうかを確認するが、この場合は、ＩＣリーダー９が所定時間内に読み取った商品情報の数と制御部２１に記憶されている選択された販売個数が異なることになるため、制御部２１は、投出不良があったと判断し、ブザー５を鳴らして報知すると共に、モデム２３を使用してサービスセンター等に通報する。
【００４５】
なお、この実施の形態の例では、異常が発生した場合に、ブザー５で報知したり、モデム２３で通報したりしているが、それとは別に、あるいはそれらの代わりに、エラーログとして発生時間等と一緒に記録媒体に記録するようにしてもよい。
【００４６】
【発明の効果】
以上の説明から明らかなように、本発明は次のとおり顕著な効果を奏する。
【００４７】
▲１▼非接触式ＩＣタグを設けた商品を商品収納手段に収納することにより、商品取出口あるいは該商品取出口へ商品を導く商品通路において電磁波の読取手段が非接触式ＩＣタグから商品情報を読み取って、商品を確実に検知することができ、読取手段の設置場所は商品取出口あるいは該商品取出口へ商品を導く商品通路の任意の位置でよく、商品に設ける非接触式ＩＣタグの位置も任意でよくて、自動販売機および商品の設計上の制約とならず、また、非接触式ＩＣタグを使用するため、商品の各銘柄や値段等の多様な商品情報の検知が可能で、抜き取り検知、投出不良検知、装填不良検知等への対応が自在である。
【００４８】
▲２▼読取手段が非接触式ＩＣタグから商品情報を読み取った時に、その商品情報を読み取った時点よりも所定時間前の時点以降に商品投出手段が動作していなければ異常と判断することで、商品取出口からの抜き取りを確実に検知し、盗難を防止することができる。
【００４９】
▲３▼商品投出手段に投出動作を行うよう指示してからの時間が所定時間を越えるまでに読取手段により情報が読み取られなければ異常と判断することで、商品詰まり等による投出不良を確実に検知することができる。
【００５０】
▲４▼読取手段が非接触式ＩＣタグから商品の銘柄情報を読み取り、本来設定されている商品の銘柄とは異なる銘柄が読み取られた時に異常と判断することで、装填不良を確実に検知することができる。
【００５１】
▲５▼商品選択手段により選択された１回の販売個数と、商品投出手段に投出動作を行うよう指示してからの時間が所定時間を越えるまでに読取手段が商品情報を読み取った回数とが異なっていれば異常と判断することで、投出不良等による販売個数の異常を確実に検知することができる。
【図面の簡単な説明】
【図１】本発明の実施の形態の自動販売機の概略構成を示す断面図である。
【図２】図１の自動販売機で販売する商品の構成図である。
【図３】図１の自動販売機の制御系の構成を示すブロック図である。
【符号の説明】
１  自動販売機本体
２  扉体
３  商品選択釦
４  商品取出口
５  ブザー
６  商品コラム
７  投出ユニット
８  商品通路
９  ＩＣリーダー
１０  非接触式ＩＣタグ
２１  制御部
２２  タイマ
２３  モデム
【図１】
2004310602.tif 000003
【図２】
2004310602.tif 000004
【図３】
2004310602.tif 000005